(57)【特許請求の範囲】
【請求項１】
上端面開口の容器本体１と、その上端開口面を頂板12で閉塞する蓋体11とからなり、
上記蓋体11は、縦断面および横断面がコの字状に、側壁板13上縁から頂板12を、前後両側から前後両壁板14、15を、更に下縁から底板16を、それぞれ突出し、かつそれ等側壁板、前後両壁板、底板を容器本体内への出入部17となし、
又容器本体後壁５の上端縁と頂壁12の後端縁とを肉薄ヒンジ18で連結して、容器本体と蓋体とを合成樹脂材で一体成形し、かつ側壁板13の前方上部に穿設した切離し線19で板バネ20を形成して該板バネ先端部に隆起部21を付設し、又該隆起部を容器本体一方側壁３の上方前部に穿設した錠剤取出し孔７内へ嵌合させ、
容器本体上部内面と出入部の下部とに係合手段を設けて、肉薄ヒンジ18を中心とする蓋体11の揺動で出入部17の前方上部が容器本体上方へ抜出したとき、上記係合手段が係合可能とすると共に、該係合時に錠剤取出し孔７の上半縁部に外縁を重ねる、下面開放の凹面23を底板16の前部下面に形成したことを特徴とする錠剤取出し容器。
【請求項２】
係合手段係合状態から蓋体前部押下げ途中で、隆起部21が容器体側壁内面に圧接して板バネ20が弾性変形すると共に、錠剤取出し孔７内へ隆起部21が嵌合したとき、板バネ20が弾性復元し上記側壁内面を打ち、打設音を発することが可能に形成したことを特徴とする、請求項１記載の錠剤取出し容器。
【請求項３】
前壁板14を斜下後方へ突出して、該前壁板の下端前縁に、上記係合手段一方としての突条22を横設すると共に、容器本体周壁の前壁４上部内面に、他方係合手段としての凹条８を横設し、
又前壁板14の下部後面で、上記凹面23の前端を下後方へ弯曲延長する延長凹面24に形成したことを特徴とする、請求項１、又は２記載の錠剤取出し容器。
【発明の詳細な説明】
【０００１】
【発明の属する技術分野】
本発明は錠剤取出し容器に関する。
【０００２】
【従来の技術】
例えば特開平９‐30542号においては、容器体口頸部内面に上下両面開口の縦筒付き栓を嵌着させ、又その縦筒内へ小ストローク上下動可能に摺動筒を嵌合させると共に、該摺動筒下端の対向部分へＵ字状片上端を連結し、更に容器体口頸部外面に螺合させたキャップ頂壁の内面から、上記摺動筒内へ上下動可能に嵌合させて収納筒を垂下しておき、キャップ嵌合状態で容器を倒立させると、上記収納筒内へ所定数の球形剤が入り、又該状態から容器倒立のままでキャップを弛めると、収納筒と共に摺動筒が、従ってＵ字状片が縦筒に対し下降して、該Ｕ字状片は、球形剤が収納筒内へ入ることを防止し、更にキャップを弛めると、摺動筒は下降を停止するに対して、キャップは収納筒内へ所定数の球形剤を入れたまま螺脱され、よって所定数の球形剤を取出しできるよう設けている。
【０００３】
【発明が解決しようとする課題】
上記従来例容器は、錠剤取出しの都度、キャップの着脱を必要とする面倒があり、又部材数が多いためにそれ等部材の組付けが面倒となって製品が高価となるものであった。
【０００４】
本発明は、合成樹脂材により一体成形可能とすると共に、錠剤の取出し操作が容易であるよう設けたものである。
又錠剤取出し後における閉蓋時に閉蓋完了音が得られるよう設けたものである。
【０００５】
更に蓋体の開閉操作が確実であると共に錠剤を更に取出し易く設けたものである。
【０００６】
【課題を解決するための手段】
第１の手段として
上端面開口の容器本体１と、その上端開口面を頂板12で閉塞する蓋体11とからなり、
上記蓋体11は、縦断面および横断面がコの字状に、側壁板13上縁から頂板12を、前後両側から前後両壁板14、15を、更に下縁から底板16を、それぞれ突出し、かつそれ等側壁板、前後両壁板、底板を容器本体内への出入部17となし、
又容器本体後壁５の上端縁と頂壁12の後端縁とを肉薄ヒンジ18で連結して、容器本体と蓋体とを合成樹脂材で一体成形し、かつ側壁板13の前方上部に穿設した切離し線19で板バネ20を形成して該板バネ先端部に隆起部21を付設し、又該隆起部を容器本体一方側壁３の上方前部に穿設した錠剤取出し孔７内へ嵌合させ、
容器本体上部内面と出入部の下部とに係合手段を設けて、肉薄ヒンジ18を中心とする蓋体11の振動で出入部17の前方上部が容器本体上方へ抜出したとき、上記係合手段が係合可能とすると共に、該係合時に錠剤取出し孔７の上半縁部に外縁を重ねる、下面開放の凹面23を底板16の前部下面に形成した。
【０００７】
第２の手段として、上記第１の手段を有すると共に、
係合手段係合状態から蓋体前部押下げ途中で、隆起部21が容器体側壁内面に左接して板バネ20が弾性変形すると共に、錠剤取出し孔７内へ隆起部21が嵌合したとき、板バネ20が弾性復元し上記側壁内面を打ち、打設音を発することが可能に形成した。
【０００８】
第３の手段として上記第１又は第２の手段を有すると共に、
前壁板14を斜下後方へ突出して、該前壁板の下端前縁に、上記係合手段一方としての突条22を横設すると共に、容器本体周壁の前壁４上部内面に、他方係合手段としての凹条８を横設し、
又前壁板14の下部後面で、上記凹面23の前端を下後方へ弯曲延長する延長凹面24に形成した。
【０００９】
【発明の実施の形態】
以下図面について説明すると、１は横断面を長方形状とする、上端面開口の容器本体で、長方形状の底壁２外周から、左右側壁３、３と前後両壁４、５とからなる周壁を起立する。その前壁４上端部は、後述蓋体押上げの便宜のため切欠き６している。又一方側壁の上方前部に錠剤取出し孔７を穿設している。
【００１０】
11は蓋体で、上記容器本体の上端開口面を閉塞する頂板12を有し、上記錠剤取出し孔７を有する側壁３側の頂板12側縁から側壁板13を垂下し、その側壁板の前後両側および後縁から、前後両壁板14、15および底板16を、上記頂板と同一方向へ突出して、縦断面および横断面をコの字状に形成し、それ等側壁板、前後両壁板および底板を容器本体周壁内への出入部17としている。頂板12後端縁と容器本体の後壁５上端縁とは肉薄ヒンジ18で連結しており、それ等容器本体と蓋体とは合成樹脂材で一体成形している。該一体成形のために、上記出入部は側壁板13と対向する側を開口させており、その一体成形は、図３が示すように容器本体周壁から上記出入部17を抜出した状態で行えばよい。
【００１１】
側壁板13の上方前部には、図４が示すようにＵ字状の切離し線19を穿設して該切離し線内の側壁板部分を板バネ20に形成する。又該板バネ先端部外面には、隆起部21を付設し、該隆起部を既述錠剤取出し孔７内へ嵌合させる。その隆起部は錠剤取出し孔内への嵌合で、蓋体11前部の上昇を防止するが、図４が示すように頂板12前部の強制押上げにより隆起部21は板バネ20の弾性に抗して、錠剤取出し孔７内から抜出し、該錠剤取出し孔付きの容器本体側壁の内面に圧接し乍ら摺動し、その側壁上方へ外れることで板バネ20が弾性復元するよう設ける。又該図４の状態から頂板12前部を押下げすると、隆起部21外面が上記側壁内面に圧接することで再び板バネ20は弾性変形し、隆起部21が錠剤取出し孔内方まで移動したとき、該孔内へ隆起部21が板バネ20の弾性復元で嵌合する。該弾性復元の際板バネ20が錠剤取出し孔周辺の側壁部分を打って打設音を発するよう設けるとよい。
【００１２】
上記前壁板14は、図示例においてその上部を切欠き６内へ緊密に嵌合可能とし、かつ上部下端から下後方へ下半14ａをやや前方張出しに弯曲させて垂下している。その前壁板の下縁前部には抜出し防止のために突条22を横設しており、又容器本体前壁４の切欠き６下端縁内面の直ぐ下方に上記突条22を係合できる凹条８を横設して、それ等突条と凹条とで、出入部抜出し防止用の係合手段を形成している。
【００１３】
底板16の前部下面には、下面開放の凹面23を設ける。該凹面は、上記係合手段係合時に、既述錠剤取出し孔７の上半縁部に外縁が重なるよう、つまり錠剤取出し孔の上半縁部の内方に凹面23の外縁が重なって、例えば容器倒立によってその凹面に接した錠剤は、錠剤取出し孔７を下向きとすることで該孔から流出できるよう設ける。又前壁板14の下半後面は、上記凹面23の前端が下後方へ弯曲延長する延長凹面24に形成する。該延長凹面は、係合手段係合時において、錠剤取出し孔７の前縁部分と一致するよう設けることとなる。
【００１４】
上記構成において予め容器本体内に錠剤を入れた後、図４が示すように蓋体11の頂板12前部を押上げすると、肉薄ヒンジ18を中心として蓋体11は揺動して出入部17の前部が容器本体上方へ抜出し、突条22と凹条８とが形成する係合手段が係合することで停止する。このとき蓋体底板16の凹面23の外縁は、錠剤取出し孔７の上半縁部に重なり、又前壁板14の下半後面が形成する延長凹面24は、上記凹面23の前端を下後方へ弯曲延長する位置にあるから、該状態で凹面内へ錠剤を入れ、かつ錠剤取出し孔７を下向きとすることで錠剤取出しを容易に行うことが出来る。
【００１５】
錠剤取出し後、蓋体の頂板前部を押込むことで隆起部21は、容器本体側壁の内面に圧接して板バネ20が弾性変形し、該隆起部が錠剤取出し孔７内へ嵌合することで板バネ20は弾性復元し、該弾性復元時、錠剤取出し孔周辺の側壁部分打設により打設音を発する。
【００１６】
【発明の効果】
本発明は既述構成としたことにより、下記効果を有する。
【００１７】
容器本体１を上端面開口とし、蓋体11は、縦断面および横断面をコ字形状として、容器本体の上端開口面を閉塞する頂板12後端縁と容器本体の後壁上端縁とを肉薄ヒンジ18で連結したから、それ等容器本体と蓋体とを合成樹脂材で一体成形でき、蓋体側壁板13の前方上部を板バネ20に形成して該板バネ先端部外面に隆起部21を付設し、該隆起部を容器本体一方側壁３の上方前部に穿設した錠剤取出し孔７内へ嵌合させたから、その隆起部が安全装置となって蓋体11が容器本体に対してみだりに開くようなことがなく、容器本体の上部内面と蓋体の頂板下方へ付設した出入部17の下部とに係合手段22を設けて、肉薄ヒンジ18を中心とする蓋体の揺動で出入部17の前方上部が容器本体上部へ抜出したとき、係合手段22が係合すると共に、該係合時に上記錠剤取出し孔７の上半縁部に外縁を重ねる下面開放の凹面23を蓋体底板16に設けたから、錠剤取出し容易な容器とすることが出来る。
【００１８】
又上記係合手段係合状態から蓋体前部押下げにより隆起部21が容器体側壁内面に圧接して板バネ20が弾性変形すると共に、錠剤取出し孔７内へ隆起部21が嵌合したとき、板バネ20が弾性復元により上記側壁内面を打ち、打設音を発するよう設けたから、蓋体完全閉塞を聴覚で確認できると共にその打設音が容器使用者に快感をもたらすこととなる。
【００１９】
更に上記係合手段の一方としての突条22を蓋体前壁板14の下端前縁に横設すると共に容器本体周壁の前壁４上部内面に上記突条を係合させる凹条８を横設したから、それ等係合手段の係合を確実とし、しかもそれ等突条と凹条との形成が容易となり、又蓋体前壁板14の下半後面を凹面23の前端を下後方へ弯曲延長する延長凹面24に形成したから、それ等凹面23と延長凹面24とが共仂して、錠剤取出し孔７からの取出しが行い易い状態に錠剤を位置させることとなり、その錠剤取出しが更に便利となる。
【図面の簡単な説明】
【図１】  本発明容器の縦断面図である。
【図２】  図１Ａ−Ａ線を矢示方向へみた縦断面図である。
【図３】  容器本体内から蓋体を完全に抜出した状態で示す側面図である。
【図４】  容器本体から蓋体前部を押し上げて、錠剤取出しが可能とした状態で示す斜視図である。
【符号の説明】
１…容器本体                    ７…錠剤取出し孔
８…凹条                        11…蓋体
14…前壁板                      16…底板
20…板バネ                      21…隆起部
23…凹面                        24…延長凹面
【図１】
0003732321.tif 000002
【図２】
0003732321.tif 000003
【図３】
0003732321.tif 000004
【図４】
0003732321.tif 000005